【手続補正書】
【提出日】平成20年4月28日(2008.4.28)
【手続補正１】
【補正対象書類名】明細書
【補正対象項目名】特許請求の範囲
【補正方法】変更
【補正の内容】
【特許請求の範囲】
【請求項１】  免税品目と組み合わせて国際旅行チケットを販売する方法であって、前記方法は、
少なくとも１つの国際旅行チケットを、前記国際旅行チケットが顧客によって第三者から購入されることができる現在価格より下の価格で、顧客に販売することを提供する段階と、
もし顧客が前記少なくとも１つの国際旅行チケットを提供価格で購入するならば、少なくとも１つの免税品目を、追加請求無しで、顧客に同時に提供する段階と、
前記少なくとも１つの国際旅行チケットを購入するための顧客の判断と、前記少なくとも１つの免税品目に対する顧客の資格とを認知する段階と、
前記少なくとも１つの国際旅行チケットに対する顧客からの支払を受容する段階と、
前記少なくとも１つの国際旅行チケットを顧客に引き渡す段階と、
顧客への前記少なくとも１つの免税品目の引き渡しの方法を顧客に通知する段階と
を具備する
ことを特徴とする方法。
【請求項２】  複数の免税品目のうちの１または２以上を顧客に提供する段階は、異なる割り当てられた値を有する免税品目を提供することを具備し、追加請求無しで顧客に提供された免税品目は、予め決定された最大割当値を有し、該最大割当値は、顧客による購入のために選択された前記少なくとも１つの国際旅行チケットの価格に依存する
ことを特徴とする請求項１記載の方法。
【請求項３】  前記少なくとも１つの免税品目の引き渡しの方法を顧客に通知する前記段階は、出発の国際ポートと到着の国際ポートと国際旅行中とのうちの１つにおいて前記免税品目が顧客に引き渡される、ということを顧客に通知することを具備し、それによって、前記少なくとも１つの免税品目は免税状態に対する資格を得る
ことを特徴とする請求項１記載の方法。
【請求項４】  国際旅行チケットと組み合わせて免税品目を販売する方法であって、前記方法は、
少なくとも１つの免税品目を、前記少なくとも１つの免税品目が顧客によって第三者から購入されることができる現在価格より下の価格で、顧客に販売することを提供する段階と、
もし顧客が前記少なくとも１つの免税品目を提供価格で購入するならば、少なくとも１つの国際旅行チケットを、追加請求無しで、顧客に同時に提供する段階と、
前記少なくとも１つの免税品目を購入するための顧客の判断と、前記少なくとも１つの国際旅行チケットに対する顧客の資格とを認知する段階と、
前記少なくとも１つの免税品目に対する顧客からの支払を受容する段階と、
顧客への前記少なくとも１つの免税品目の引き渡しの方法を顧客に通知する段階と
前記少なくとも１つの国際旅行チケットを顧客に引き渡す段階と
を具備する
ことを特徴とする方法。
【請求項５】  複数の国際旅行チケットのうちの１または２以上を顧客に提供する段階は、異なる割り当てられた値を有する国際旅行チケットを提供することを具備し、追加請求無しで顧客に提供された国際旅行チケットは、予め決定された最大割当値を有し、該最大割当値は、顧客による購入のために選択された前記少なくとも１つの免税品目の価格に依存する
ことを特徴とする請求項４記載の方法。
【請求項６】  前記少なくとも１つの免税品目の引き渡しの方法を顧客に通知する前記段階は、出発の国際ポートと到着の国際ポートと国際旅行中とのうちの１つにおいて前記少なくとも１つの免税品目が顧客に引き渡される、ということを顧客に通知することを具備し、それによって、前記少なくとも１つの免税品目は免税状態に対する資格を得る
ことを特徴とする請求項４記載の方法。
【請求項７】  顧客への国際旅行チケットと免税品目との販売を組み合わせる方法であって、前記方法は、
第１の予め決定された価格で国際旅行チケットと免税品目とのうちの１つを顧客に販売することを提供する段階と、
追加請求無しまたは第２の予め決定された価格のうちの１つで国際旅行チケットと免税品目とのオーダーを顧客に転送することを同時に提供する段階と、
国際旅行チケットと免税品目とのうちの前記少なくとも１つを購入するために顧客の判断を認知する段階と、
前記国際旅行チケットと免税品目とのうちの他方を取得するために顧客の判断を認知する段階と、
前記国際旅行チケットと免税品目とのうちの前記少なくとも１つに対する顧客からの支払と、もし前記国際旅行チケットと免税品目とのうちの前記他方が前記第２の予め決定された価格で提供されるならば、前記国際旅行チケットと免税品目とのうちの前記他方に対する顧客からの支払とを受容する段階と
を具備し、
前記顧客がある第三者から前記国際旅行チケットのみを購入しかつ他の第三者から前記免税品目のみを購入する場合において前記顧客が前記国際旅行チケットと前記免税品目とを購入できる現在の総計価格より前記支払は少なく、
前記方法は、
前記国際旅行チケットを前記顧客に引き渡す段階と、
前記顧客への前記免税品目の引き渡しの方法を顧客に通知し、それによって、前記顧客は、前記国際旅行チケットと前記免税品目との両方を、前記顧客がある第三者から前記国際旅行チケットのみを購入しかつ他の第三者から前記免税品目のみを購入する場合において前記顧客が支払う価格より少ない価格で取得する段階と
を具備する
ことを特徴とする方法。
【請求項８】  複数の国際旅行チケットのうちの少なくとも１つと複数の免税品目のうちの少なくとも１つとのうちの他の１つを追加請求無しまたは第２の予め決定された価格のうちの１つで顧客に転送することを提供する段階は、もし顧客による購入のために選択された前記国際旅行チケットと免税品目とのうちの１つの前記第１の予め決定された価格が予め決定された量を超えるならば、前記国際旅行チケットと前記免税品目とのうちの前記他の１つを追加請求無しで提供し、かつ、もし顧客による購入のために選択された前記国際旅行チケットと免税品目とのうちの１つの前記第１の予め決定された価格が予め決定された量より少ないならば、前記国際旅行チケットと前記免税品目とのうちの前記他の１つを前記第２の予め決定された価格で提供することを具備する
ことを特徴とする請求項７記載の方法。
【請求項９】  顧客による購入のために選択された国際旅行チケットと免税品目とのうちの１つの第１の予め決定された価格が予め決定された量より少ないときに複数の国際旅行チケットのうちの少なくとも１つと複数の免税品目のうちの少なくとも１つとのうちの他方を前記第２の予め決定された価格で顧客に転送することを提供する前記段階は、第１の予め決定された価格と第１の予め決定された量との間における差異に基づいて第２の予め決定された価格を選択する段階を更に具備する
ことを特徴とする請求項８記載の方法。
【請求項１０】  前記第１の予め決定された価格と前記第１の予め決定された量との間における差異に基づいて第２の予め決定された価格を選択する前記段階は、前記第１の予め決定された量が前記第１の予め決定された価格を超える量が増大すると、第２の予め決定された価格を増大させることを具備する
ことを特徴とする請求項９記載の方法。
【請求項１１】  前記少なくとも１つの免税品目の引き渡しの方法を前記顧客に通知する前記段階は、出発の国際ポートと到着の国際ポートと国際旅行中とのうちの１つにおいて前記少なくとも１つの免税品目が顧客に引き渡される、ということを前記顧客に通知することを具備し、それによって、前記少なくとも１つの免税品目は免税状態に対する資格を得る
ことを特徴とする請求項７記載の方法。
【請求項１２】  顧客への国際旅行チケットと免税品目との組み合わされた販売を容易にするためにコンピュータを使用する方法であって、前記方法は、
国際旅行チケットと免税品目とのうちの１つを第１の予め決定された価格で販売するための提供をコンピュータから顧客へ出力する段階と、
国際旅行チケットと免税品目とのうちの他方を追加請求無しまたは第２の予め決定された価格のうちの１つで顧客へ転送するための提供をコンピュータから顧客へ出力する段階と、
国際旅行チケットと免税品目とのうちの前記少なくとも１つを前記第１の予め決定された価格で購入するための提供を顧客からコンピュータへ入力する段階と、
国際旅行チケットと免税品目とのうちの他方を取得するための提供を顧客からコンピュータへ入力する段階と、
国際旅行チケットと免税品目とのうちの前記少なくとも１つを購入しかつ国際旅行チケットと免税品目とのうちの他方を取得するために顧客の提供の受容をコンピュータから顧客へ出力する段階と、
国際旅行チケットと免税品目とのうちの前記１つの支払に関する情報を顧客からコンピュータへ入力し、かつ、もし国際旅行チケットと免税品目とのうちの前記他方が前記第２の予め決定された価格で提供されるならば、国際旅行チケットと免税品目とのうちの前記他方に対する情報を顧客からコンピュータへ入力する段階と
を具備し、
もし前記顧客がある第三者から前記国際旅行チケットのみを購入しかつ他の第三者から前記免税品目のみを購入するならば、前記顧客が前記国際旅行チケットと前記免税品目とを購入できる現在の総計価格より前記支払は少なく、
前記方法は、
前記国際旅行チケットを前記顧客へ引き渡す段階と、
前記顧客への前記免税品目の引き渡しの方法を前記顧客に通知し、それによって、前記顧客は、前記国際旅行チケットと前記免税品目との両方を、前記顧客がある第三者から前記国際旅行チケットのみを購入しかつ他の第三者から前記免税品目のみを購入する場合において前記顧客が支払う価格より少ない価格で取得する段階と
を具備する
ことを特徴とする方法。
【請求項１３】  複数の国際旅行チケットのうちの少なくとも１つと複数の免税品目のうちの少なくとも１つとのうちの他の１つを追加請求無しまたは第２の予め決定された価格のうちの１つで顧客に転送することの提供をコンピュータから顧客へ出力する段階は、もし顧客による購入のために選択された前記国際旅行チケットと免税品目とのうちの１つの前記第１の予め決定された価格が予め決定された量を超えるならば、前記国際旅行チケットと前記免税品目とのうちの前記他の１つを追加請求無しで提供し、かつ、もし顧客による購入のために選択された前記国際旅行チケットと免税品目とのうちの１つの前記第１の予め決定された価格が予め決定された量より少ないならば、前記国際旅行チケットと前記免税品目とのうちの前記他の１つを前記第２の予め決定された価格で提供することを具備する
ことを特徴とする請求項１２記載の方法。
【請求項１４】  顧客による購入のために選択された国際旅行チケットと免税品目とのうちの１つの第１の予め決定された価格が予め決定された量より少ないときに複数の国際旅行チケットのうちの少なくとも１つと複数の免税品目のうちの少なくとも１つとのうちの他方を第２の予め決定された価格で顧客に転送することの提供を前記コンピュータから前記顧客へ出力する前記段階は、第１の予め決定された価格と第１の予め決定された量との間における差異に基づいて第２の予め決定された価格を選択する段階を更に具備する
ことを特徴とする請求項１３記載の方法。
【請求項１５】  前記第１の予め決定された価格と前記第１の予め決定された量との間における差異に基づいて第２の予め決定された価格を選択する前記段階は、前記第１の予め決定された量が前記第１の予め決定された価格を超える量が増大すると、第２の予め決定された価格を増大させることを具備する
ことを特徴とする請求項１４記載の方法。
【請求項１６】  顧客への国際旅行チケットと免税品目との組み合わされた販売を容易にするシステムであって、前記システムは、
コンピュータプログラムと、複数の国際旅行チケットと複数の免税品目とに関するデータとを記憶する記憶デバイスと、
記憶デバイスに接続されたプロセッサと
を具備し、
前記プロセッサは、プログラムに応答して、
国際旅行チケットと免税品目とのうちの１つを第１の予め決定された価格で販売することの提供を顧客へ出力し、
国際旅行チケットと免税品目とのうちの他方を追加請求無しまたは第２の予め決定された価格のうちの１つで転送することの提供を顧客へ出力し、
国際旅行チケットと免税品目とのうちの前記少なくとも１つを前記第１の予め決定された価格で購入することの提供を顧客から受信し、
国際旅行チケットと免税品目とのうちの他方を取得することの提供を顧客から受信し、
国際旅行チケットと免税品目とのうちの前記少なくとも１つを購入しかつ国際旅行チケットと免税品目とのうちの他方を取得することの提供の受容を顧客へ出力し、
国際旅行チケットと免税品目とのうちの前記１つの支払に関する情報を顧客から受信し、かつ、もし国際旅行チケットと免税品目とのうちの前記他方が前記第２の予め決定された価格で提供されるならば、国際旅行チケットと免税品目とのうちの前記他方に対する情報を顧客から受信する
ように動作し、
前記顧客がある第三者から前記国際旅行チケットのみを購入しかつ他の第三者から前記免税品目のみを購入する場合において前記顧客が前記国際旅行チケットと前記免税品目とを購入できる現在の総計価格より前記支払は少ない
ことを特徴とするシステム。
【請求項１７】  前記プロセッサは、前記プログラムに応答して、もし顧客による購入のために選択された前記国際旅行チケットと免税品目とのうちの１つの前記第１の予め決定された価格が予め決定された量を超えるならば、前記国際旅行チケットと前記免税品目とのうちの前記他の１つを追加請求無しで前記顧客に転送することの提供を顧客に出力し、かつ、もし顧客による購入のために選択された前記国際旅行チケットと免税品目とのうちの１つの前記第１の予め決定された価格が予め決定された量より少ないならば、前記国際旅行チケットと前記免税品目とのうちの前記他の１つを前記第２の予め決定された価格で提供するように動作する
ことを特徴とする請求項１６記載のシステム。
【請求項１８】  前記プロセッサは、前記プログラムに応答して、顧客による購入のために選択された国際旅行チケットと免税品目とのうちの１つの第１の予め決定された価格が予め決定された量より少ないときに複数の国際旅行チケットのうちの少なくとも１つと複数の免税品目のうちの少なくとも１つとのうちの他方を第２の予め決定された価格で転送ことの提供を顧客に出力するように動作し、前記プロセッサは、前記プログラムに応答して、第１の予め決定された価格と第１の予め決定された量との間における差異に基づいて第２の予め決定された価格を選択するように動作する
ことを特徴とする請求項１７記載のシステム。
【請求項１９】  前記プロセッサは、前記プログラムに応答して、前記第１の予め決定された量が前記第１の予め決定された価格を超える量が増大すると、第２の予め決定された価格を増大させることによって第２の予め決定された価格を選択するように動作する
ことを特徴とする請求項１８記載のシステム。
【請求項２０】  顧客への国際旅行チケットと免税品目との組み合わされた販売を容易にするシステムであって、前記システムは、
消費者によって稼働され、かつ、コンピュータネットワーク上でデータを送信するために第１のデバイスと作用的に接続された第１のコンピュータと、
販売者によって稼働され、かつ、コンピュータネットワーク上でデータを送信するために第２のデバイスと作用的に接続された第２のコンピュータと
を具備し、
前記第２のコンピュータは、コンピュータプログラムと複数の国際旅行チケットおよび複数の免税品に関するデータとを記憶する記憶デバイスと、記憶デバイスに作用的に接続されたプロセッサとを具備し、該プロセッサは、プログラムに応答して、
国際旅行チケットと免税品目とのうちの１つを第１の予め決定された価格で販売することの提供をコンピュータネットワーク上で第１のコンピュータに送信し、かつ、
国際旅行チケットと免税品目とのうちの他方を追加請求無しまたは第２の予め決定された価格のうちの１つで転送することの提供をコンピュータネットワーク上で第１のコンピュータに送信し、かつ、
国際旅行チケットと免税品目とのうちの前記少なくとも１つを前記第１の予め決定された価格で購入することの提供をコンピュータネットワーク上で第１のコンピュータから受信し、かつ、
国際旅行チケットと免税品目とのうちの他方を取得することの提供をコンピュータネットワーク上で第１のコンピュータから受信し、かつ、
国際旅行チケットと免税品目とのうちの前記少なくとも１つを購入しかつ国際旅行チケットと免税品目とのうちの他方を取得することの提供の受容をコンピュータネットワーク上で第１のコンピュータへ送信し、かつ、
国際旅行チケットと免税品目とのうちの前記１つの支払に関する情報をコンピュータネットワーク上で第１のコンピュータから受信し、かつ、もし国際旅行チケットと免税品目とのうちの前記他方が前記第２の予め決定された価格で提供されるならば、国際旅行チケットと免税品目とのうちの前記他方に対する情報をコンピュータネットワーク上で第１のコンピュータから受信する
ように動作し、
前記顧客がある第三者から前記国際旅行チケットのみを購入しかつ他の第三者から前記免税品目のみを購入する場合において前記顧客が前記国際旅行チケットと前記免税品目とを購入できる現在の総計価格より前記支払は少ない
ことを特徴とするシステム。
【請求項２１】  前記第２のコンピュータ内の前記プロセッサは、前記プログラムに応答して、もし顧客による購入のために選択された前記国際旅行チケットと免税品目とのうちの１つの前記第１の予め決定された価格が予め決定された量を超えるならば、前記国際旅行チケットと前記免税品目とのうちの前記他の１つを追加請求無しで転送することの提供をコンピュータネットワーク上で顧客へ送信し、かつ、もし顧客による購入のために選択された前記国際旅行チケットと免税品目とのうちの１つの前記第１の予め決定された価格が予め決定された量より少ないならば、前記国際旅行チケットと前記免税品目とのうちの前記他の１つを前記第２の予め決定された価格で提供するように動作する
ことを特徴とする請求項２０記載のシステム。
【請求項２２】  前記第２のコンピュータ内の前記プロセッサは、前記プログラムに応答して、顧客による購入のために選択された国際旅行チケットと免税品目とのうちの１つの第１の予め決定された価格が予め決定された量より少ないとき複数の国際旅行チケットのうちの少なくとも１つと複数の免税品目のうちの少なくとも１つとのうちの他方を第２の予め決定された価格で転送することの提供をコンピュータネットワーク上で顧客へ送信するように動作し、ここで、前記プロセッサは、前記プログラムに応答して、第１の予め決定された価格と第１の予め決定された量との間における差異に基づいて第２の予め決定された価格を選択するように動作する
ことを特徴とする請求項２１記載のシステム。
【請求項２３】  前記第２のコンピュータ内の前記プロセッサは、前記プログラムに応答して、前記第１の予め決定された量が前記第１の予め決定された価格を超える量が増大すると、第２の予め決定された価格を増大させることによって第２の予め決定された価格を選択するように動作する
ことを特徴とする請求項２２記載のシステム。
【請求項２４】  前記システムは、コンピュータネットワーク上でデータを送信する第３のデバイスに作用的に接続された第３のコンピュータを具備し、前記第３のコンピュータは、複数のクレジットカードアカウントに関する記憶された情報と、前記複数のクレジットカードアカウントに対するクレジットカード支払を処理するためのプログラムとへのアクセスを有し、ここで、前記第２のコンピュータ内の前記プロセッサは、前記第２のコンピュータ内の前記プログラムに応答して、前記第１のコンピュータから受信されたクレジットカードに関する情報をコンピュータネットワーク上で前記第３のコンピュータへ送信し、かつ、クレジットカードトランザクションの受容をコンピュータネットワーク上で前記第３のコンピュータから受信し、かつ、完了したクレジットカードトランザクションの承認をコンピュータネットワーク上で前記第１のコンピュータへ送信するように動作する
ことを特徴とする請求項２０記載のシステム。